(57)【要約】【課題】初期のみならず、長期間使用しても紫外線吸収剤がブリードせず、少量の添加で紫外線遮蔽効果が長期間に亘って持続し、耐候性や透明性も良好で、新たな設備の導入も不要な農業用フィルムを提供する。【解決手段】熱可塑性樹脂及び紫外線吸収剤として微粒子状酸化亜鉛を含有する農業用フィルム。【選択図】　　　なし【特許請求の範囲】
【請求項１】
熱可塑性樹脂１００重量部に対し、紫外線吸収剤として微粒子状酸化亜鉛が０．１５〜１５重量部含有されてなることを特徴とする農業用フィルム。
【請求項２】
微粒子状酸化亜鉛の表面がシロキサン基で被覆され、かつ平均粒子径が５〜４０ｎｍであることを特徴とする請求項１に記載の農業用フィルム。
【発明の詳細な説明】
【０００１】
【発明の属する技術分野】
本発明は、農業用フィルムに関し、特に農業用ハウスの外張りとして好適に使用される農業用フィルムに関する。
【０００２】
【従来の技術】
一般に、紫外線は害虫（例えば、スリプス類、アブラムシ等）や病害（灰色カビ病や菌核病等の病原糸状菌）を増殖したり、その活動を活発にすることが知られている。その結果、農作物の栽培においては、これらの活動を抑制するのに農薬を多量に使う必要があり、農作物の品質が低下したり、栽培コストが高くなるという問題があった。また、紫外線は、農作物の葉や茎の育成を抑えてしまうために、農作物の収穫量が低下したり、例えば花等の栽培においては、その色つきにも悪影響を及ぼす等の問題もあった。
【０００３】
さらに、紫外線はハウス内で作業する農作業従事者に対しても有害な影響を与え、例えば、しみ・そばかす等皮膚に対して疾患を与えることがしばしばあった。このような農作物の栽培においては、紫外線の照射を抑制するために、従来より種々の方法が考案されている。
【０００４】
その代表的な方法として、農業用フィルム中に有機系紫外線吸収剤を含有させる方法が挙げられる。例えば、特許文献１には、有機系紫外線吸収剤として、ベンゾフェノン系化合物、ベンゾトリアゾール系化合物、サリチル酸エステル系化合物などを含有させた農業用フィルムが開示されている。
しかしながら、これらの農業用フィルムは、短期間の紫外線遮蔽効果は発現するものの、長期間使用すると紫外線吸収剤がフィルム外にブリードアウトするため、遮蔽効果が持続されないという問題点があった。
【０００５】
【特許文献１】
特公昭５７−４５２５９号公報
【０００６】
さらに、例えば特許文献２には、微粒子酸化亜鉛を結合剤に分散させた塗料をフィルム表面に塗布して、紫外線遮蔽効果を発現させる農業用フィルムが提案されている。しかしながら、この農業用フィルムは、塗布を行うのに必要な装置を新たに導入しなければならず、経済的に不利な点があった。
【０００７】
【特許文献２】
特開平３−１２７９３４公報
【０００８】
また、例えば特許文献３には、微粒子状酸化鉄を主成分とした無機系紫外線吸収剤をフィルム内に含有させることにより、紫外線遮蔽効果をもたせた積層フィルムが開示されている。しかしながら、この積層フィルムは、紫外線を効果的に遮蔽するには添加量を多くする必要があり、製品コストが高くなるという問題点があった。
【０００９】
【特許文献３】
特公平２−９９３６号公報
【００１０】
上記以外に、フィルム中に、酸化チタン、酸化ジルコニア、酸化カルシウムを含有させる方法も知られているが、例えば酸化チタンの場合は、屈折率が２．５と大きく太陽光を散乱させるため、可視光線透過率が大幅に低下する。
また、酸化ジルコニアや酸化カルシウムでは、紫外線吸収能が３５０ｎｍよりも短波長側に位置するため、紫外線吸収範囲が狭く、十分に有効な紫外線遮蔽型農業用フィルムは得られなかった。
【００１１】
【発明が解決しようとする課題】
本発明は、上記問題点に鑑み、初期のみならず、長期間使用しても紫外線吸収剤がブリードせず、少量の添加で紫外線遮蔽効果が長期間に亘って持続し、耐候性や透明性も良好で、新たな設備の導入も不要な農業用フィルムを提供することを目的とする。
【００１２】
【課題を解決するための手段】
本発明の農業用フィルムは、熱可塑性樹脂１００重量部に対し、紫外線吸収剤として微粒子状酸化亜鉛が０．１５〜１５重量部含有されてなることを特徴とする。
【００１３】
以下、本発明の詳細について説明する。
本発明で使用される熱可塑性樹脂としては、従来より農業用フィルムに使用されているものが使用され、例えば、ポリエチレン樹脂、エチレン−α−オレフィン共重合体、エチレン−酢酸ビニル共重合体、ポリプロピレン樹脂、プロピレン−α−オレフィン共重合体、プロピレン−酢酸ビニル共重合体、ポリ塩化ビニル系樹脂、ポリエステル系樹脂、ポリメチルメタクリレート系樹脂、ポリカーボネート系樹脂等が挙げられる。これらは単独で使用されても、２種以上が併用されても良い。
【００１４】
上記熱可塑性樹脂の中でも、ポリエチレン樹脂（低密度ポリエチレン、中密度ポリエチレン、高密度ポリエチレン）、エチレン−α−オレフィン共重合体（α−オレフィンとしては、例えば、プロピレン、１−ブテン、４−メチル−１−ペンテン、１−ヘキセン、１−オクテン等を挙げることができる）、エチレン−酢酸ビニル共重合体、ポリプロピレン樹脂、プロピレン−α−オレフィン共重合体（α−オレフィンとしては、例えば、エチレン、１−ブテン、４−メチル−１−ペンテン、１−ヘキセン、１−オクテン等を挙げることができる）、プロピレン−酢酸ビニル共重合体などのポリオレフィン系樹脂が好ましく、より好ましくはエチレン−酢酸ビニル共重合体である。
【００１５】
本発明で紫外線吸収剤として使用される微粒子状酸化亜鉛は、その表面がシロキサン基によって被覆されたものが好ましい。このような表面被覆によって、微粒子酸化亜鉛同士の凝集を防止することができる。
【００１６】
上記微粒子状酸化亜鉛の平均粒子径は５〜４０ｎｍが好ましく、より好ましくは１０〜３０ｎｍ、さらに好ましくは１５〜２５ｎｍである。
平均粒子径が５ｎｍより小さいものは製造することが難しい上に、ハンドリングが非常に困難になる。また、平均粒子径が４０ｎｍより大きくなると、得られるフィルムが白っぽくなり、透明性が大幅に低下する。
【００１７】
本発明の農業用フィルムにおける微粒子状酸化亜鉛の配合量は、熱可塑性樹脂１００重量部に対して０．１５〜１５重量部であり、好ましくは１〜１０重量部である。配合量が、０．１５重量部未満になると、紫外線を遮蔽する効果が大幅に低下し、１５重量部を超えるとフィルムが白っぽくなり、透明性が大幅に低下する。
【００１８】
上記熱可塑性樹脂には、必要に応じて、物性を損なわない範囲において、無機保温剤、有機保温剤、ヒンダードアミン系光安定剤、熱安定剤、酸化防止剤、紫外線吸収剤（有機系）、防霧剤、滑剤、顔料等が添加されても良い。
【００１９】
上記無機保温剤は、得られる農業用フィルムの保温性の向上と、フィルム成形時の押出し変動の改善との２つの目的のために添加され、例えば、酸化珪素、ハイドロタルサイトなどの珪酸塩類、燐酸塩類、ガラス微粉末等が好適に用いられる。これらは単独で使用されてもよく、２種以上が併用されてもよい。
【００２０】
上記無機保温剤の添加量は、特に限定されないが、少なくなると添加した効果が得られず、逆に多くなると得られる農業用フィルムの初期防曇性及び防曇持続性が低下し、また得られる農業用フィルムの機械的強度が低下するので、通常は、上記熱可塑性樹脂１００重量部に対し、５〜１００重量部が好ましく、より好ましくは１０〜５０重量部である。
【００２１】
上記ヒンダードアミン系光安定剤としては、従来公知の任意のものが使用可能であり、具体的には、コハク酸ジメチル−１−（２−ヒドロキシエチル）−４−ヒドロキシ−２，２，６，６−テトラメチルピペリジン重縮合物、テトラキス（２，２，６，６−テトラメチル−４−ピペリジル）−１，２，３，４−ブタンテトラカルボキシレート、ポリ｛〔６−［（１，１，３，３−テトラメチルブチル）アミノ］−１，３，５−トリアジン−２，４−ジイル〕［（２，２，６，６−テトラメチル−４−ピペリジル）イミノ］ヘキサメチレン［（２，２，６，６−テトラメチル−４−ピペリジル）イミノ］｝等が挙げられる。これらは単独で用いられてもよく、２種以上が併用されてもよい。
【００２２】
上記熱安定剤としては、従来公知の任意のものが使用でき、例えば、カルボン酸の金属塩、フェノール系抗酸化剤、有機亜燐酸エステル等のキレーターが挙げられる。
【００２３】
上記酸化防止剤としては、従来公知の任意のものが使用でき、通常は、上記熱安定剤としての効果を兼ね備えるものが多く、例えば、カルボン酸の金属塩、フェノール系抗酸化剤、有機亜燐酸エステル等のキレーターが挙げられる。
【００２４】
上記紫外線吸収剤（有機系）としては、従来公知の任意のものが使用でき、例えば、ベンゾフェノン系、ベンゾトリアゾール系、サリチル酸エステル系、シアノアクリレート系のもの等が挙げられる。
具体的には、ベンゾフェノン系紫外線吸収剤として、例えば、２，４−ジヒドロキシベンゾフェノン、２−ヒドロキシ−４−オクトキシベンゾフェノン、２−ヒドロキシ−４−ドデシルオキシベンゾフェノン、２，２’−ジヒドロキシ−４−メトキシベンゾフェノン、２，２’−ジヒドロキシ−４，４’−ジメトキシベンゾフェノン、２−ヒドロキシ−４−メトキシ−５−スルホベンゾフェノン等が挙げられる。これらは単独で用いられてもよく、２種以上が併用されてもいよい。
【００２５】
上記ベンゾトリアゾール系紫外線吸収剤として、例えば、２−（２’−ヒドロキシ−５’−ｔｅｒｔ−ブチルフェニル）ベンゾトリアゾール、２−（２’−ヒドロキシ−５’−メチルフェニル）ベンゾトリアゾール、２−（２’−ヒドロキシ−３’−ｔｅｒｔ‐ブチル−５−メチルフェニル）−５−クロロベンゾトリアゾール、２−（２’−ヒドロキシ−３’，５’−ジ−ｔｅｒｔ−ブチルフェニル）−５−クロロベンゾトリアゾール、２−（２’−ヒドロキシ−３’，５’−ジ−ｔｅｒｔ−アミルフェニル）−５−クロロベンゾトリアゾール等が挙げられる。これらは単独で用いられてもよく、２種以上が併用されてもいよい。
【００２６】
上記防霧剤としては、従来公知の任意のものが使用でき、例えば、シリコーン系、フッ素系等の界面活性剤が挙げられる。
【００２７】
上記滑剤としては、従来公知の任意のものが使用でき、例えば、ステアリン酸アマイド等の飽和脂肪酸アマイド；エルカ酸アマイド、オレイン酸アマイド等の不飽和脂肪酸アマイド；エチレンビスステアリン酸アマイド等のビスアマイドなどが挙げられる。
【００２８】
本発明の農業用フィルムは、上記熱可塑性樹脂、微粒子状酸化亜鉛及びその他添加剤を含有する樹脂組成物をフィルムに成形することにより得られる。
フィルムの成形方法としては、従来公知の任意の方法が採用されてよく、例えば、インフレーション法、Ｔダイ法、カレンダー法等が採用される。
【００２９】
上記農業用フィルムとしては、単層の熱可塑性樹脂層からなるものでもよいが、熱可塑性樹脂層が複数層積層されているものが好ましい。
【００３０】
上記農業用フィルムの表面には、ハウス内で生じた結露水を流滴させるために、ハウス内面側にコロイダルシリカを主成分とする防曇塗布剤を塗布・乾燥させて形成した防曇層や、ポリビニルアルコール等の親水性樹脂からなる防曇層が設けられてもよい。これらの防曇剤を塗布する方法としては、例えば、グラビアコーターなどのロールコート法、バーコート法、ディップコート法、スプレー法、はけ塗り法等が挙げられる。
【００３１】
上記農業用フィルムの厚さは、薄くなると機械的強度が低下し、厚くなると裁断、接合、展張作業等が困難になり、取り扱い性が低下するので、２０〜３００μｍが好ましく、より好ましくは５０〜２００μｍである。
【００３２】
【発明の実施の形態】
以下に実施例を挙げて本発明の態様を更に詳しく説明するが、本発明はこれら実施例のみに限定されるものではない。
【００３３】
（実施例１〜４、比較例１〜４）
表１及び２に示した樹脂組成物（イ）〜（ハ）を、各々別々の押出機に投入して混練した後インフレーション法により共押出成形し、層（イ）、層（ロ）及び層（ハ）がこの順で積層され、各層の厚み比が１：７：２である、総厚み１５０μｍの三層積層体からなる農業用フィルムを得た。
尚、紫外線吸収剤は（ロ）層にのみ配合し、配合量を表２に示した。
また、表中に示したＭＩはメルトインデックスを示し、ＪＩＳ　Ｋ　７２１０に準拠して、温度１９０℃、荷重２１．１８Ｎで測定された値である。
【００３４】
【表１】
2004121043.tif 000002
【００３５】
【表２】
2004121043.tif 000003
【００３６】
実施例及び比較例で得られた農業用フィルムについて、下記（１）〜（５）の性能評価を行い、結果を表３に示した。
（１）初期光線透過率
農業用フィルム（作製直後）の波長３００ｎｍ、３６０ｎｍ及び５００ｎｍにおける光線透過率を、分光光度計（日立製作所製「Ｕ−３０００」）を用いて測定した。
（２）促進試験後の光線透過率
農業用フィルムをサンシャインウェザロメーターにより１０００時間照射して促進試験を行った後、（１）と同様に光線透過率を測定した。
尚、サンシャインウェザロメーターにおける暴露条件：光源にカーボンアー　クを使用し、温度６３℃で、スプレー周期１２０分中１８分降雨とした。
【００３７】
（３）透明性
作製直後及び促進試験（光線透過率と同様の暴露条件）後の農業用フィルムのヘーズ値を、ヘーズ測定機（東京電色社製）により測定した。
（４）初期の引張破断強度及び引張破断伸度
作製直後の農業用フィルムについて、ストログラフ（東洋精機製作所製）を用いて測定した。
（５）促進試験後の引張破断強度及び引張破断伸度
促進試験（光線透過率と同様の暴露条件）後の農業用フィルムについて、ストログラフ（東洋精機製作所製）を用いて測定した。
【００３８】
【表３】
2004121043.tif 000004
【００３９】
【発明の効果】
本発明の農業用フィルムは、上述の構成であり、紫外線吸収剤として酸化亜鉛を少量添加することにより、初期のみならず長期間に亘って紫外線遮蔽効果を持続し、耐候性や透明性も優れる。従って、農業用フィルムとして長期間使用することができ、新たな設備の導入も不要なので経済的にも非常に有用である。